(57)【特許請求の範囲】
【請求項１】
特定された撮影装置及び撮影条件で予め撮影されたカラーの第１チャート画像を取得する画像取得部と、
前記第１チャート画像を対象となる画像形成装置に印刷させて取得したカラーの印刷画像を、前記特定された撮影条件で撮影してカラーの第２チャート画像を取得する内部の前記撮影装置と、
前記第１チャート画像と前記第２チャート画像とを比較して濃度値の第１差分を求める画像比較部と、
前記第１差分に基づいて濃度補正値を生成する補正部と、
を有し、
前記画像取得部は、
前記特定された撮影装置及び撮影条件で予め撮影された第１媒体画像を取得し、
前記内部の撮影装置は、
特定された印刷媒体を、前記特定された撮影条件で撮影して第２媒体画像を取得し、
前記画像比較部は、
前記第１媒体画像と前記第２媒体画像とを比較して濃度値の第２差分を求め、
前記補正部は、
前記第２差分を考慮した前記第１差分から前記濃度補正値を生成する、
ことを特徴とする携帯端末。
【請求項２】
前記携帯端末は、
前記画像取得部、前記画像比較部、及び前記補正部の機能を有する携帯端末プログラム
を持ち、
前記内部の撮影装置として、カメラを有する、
ことを特徴とする請求項１記載の携帯端末。
【請求項３】
請求項１又は２記載の携帯端末は、更に、
前記画像形成装置及び前記撮影条件を選択して特定するための特定手段、
を有することを特徴とする携帯端末。
【請求項４】
請求項１又は２記載の携帯端末は、更に、
前記画像形成装置、前記撮影条件、及び、前記印刷媒体の種類を選択して特定するための特定手段、
を有することを特徴とする携帯端末。
【請求項５】
請求項４記載の携帯端末は、更に、
前記第２チャート画像及び前記第２媒体画像を格納する内部記憶装置、
を有することを特徴とする携帯端末。
【請求項６】
請求項４又は５記載の携帯端末と、
前記第１チャート画像及び前記第１媒体画像を格納する外部記憶装置と、
前記対象となる画像形成装置と、
を備え、
前記対象となる画像形成装置は、
前記濃度補正値に基づいて画像印刷用の色変換を行うカラー変換部と、
前記特定された印刷媒体に前記第１チャート画像を印刷し、且つ、前記カラー変換部で色変換された色情報に基づいて印刷ジョブの画像を印刷する印刷部と、
を有することを特徴とする画像形成システム。
【請求項７】
前記外部記憶装置は、
撮影装置特定情報を持ち、
前記携帯端末は、
始めに、前記外部記憶装置から前記撮影装置特定情報をダウンロードしておき、起動時に、前記撮影装置特定情報に基づき、前記撮影条件及び前記印刷媒体の種類を自動的に選択して特定する、
ことを特徴とする請求項６記載の画像形成システム。
【発明の詳細な説明】
【技術分野】
【０００１】
本発明は、携帯端末及びそれを用いた画像形成システムに関するものである。
【背景技術】
【０００２】
印刷装置等の画像形成装置は、装置毎に、出力色にばらつきが存在する。そのため、同一モデルの別々の個体の画像形成装置からは、同じ設定で印刷しているにもかかわらず、出力結果の色味が異なる結果となる。この同一モデル間の画像形成装置における出力色の差異を埋める技術がキャリブレーション（ｃａｌｉｂｒａｔｉｏｎ；印刷装置等の色調整）と呼ばれる補正技術である。例えば、特許文献１に記載された画像形成装置では、測色機（濃度計）を使用してキャリブレーションを行っている。
【先行技術文献】
【特許文献】
【０００３】
【特許文献１】特開２０１５−２２５２７２号公報
【発明の概要】
【発明が解決しようとする課題】
【０００４】
しかしながら、従来の画像形成システムにおいて、印刷装置のキャリブレーションを行うためには、例えば、印刷装置で印刷したキャリブレーションチャートの濃度を計測するための高価な専用の光学式測色機と、その計測した濃度に基づいて濃度調整を行うためのキャリブレーション用ソフトウェアと、を用意しなければならない。そのため、ユーザ（使用者）が手軽にキャリブレーションを行うことが困難であった。
【課題を解決するための手段】
【０００５】
本発明の携帯端末は、特定された撮影装置及び撮影条件で予め撮影されたカラーの第１チャート画像を取得する画像取得部と、前記第１チャート画像を対象となる画像形成装置に印刷させて取得したカラーの印刷画像を、前記特定された撮影条件で撮影してカラーの第２チャート画像を取得する内部の前記撮影装置と、前記第１チャート画像と前記第２チャート画像とを比較して濃度値の第１差分を求める画像比較部と、前記第１差分に基づいて濃度補正値を生成する補正部と、を有する。前記画像取得部は、前記特定された撮影装置及び撮影条件で予め撮影された第１媒体画像を取得し、前記内部の撮影装置は、特定された印刷媒体を、前記特定された撮影条件で撮影して第２媒体画像を取得し、前記画像比較部は、前記第１媒体画像と前記第２媒体画像とを比較して濃度値の第２差分を求め、前記補正部は、前記第２差分を考慮した前記第１差分から前記濃度補正値を生成する、ことを特徴とする。
【０００６】
又、本発明の画像形成システムは、前記携帯端末と、前記第１チャート画像及び前記第１媒体画像を格納する外部記憶装置と、前記対象となる画像形成装置と、を備えている。前記携帯端末は、更に、前記画像形成装置、前記撮影条件、及び、前記印刷媒体の種類を選択して特定するための特定手段を有する。そして、前記対象となる画像形成装置は、前記濃度補正値に基づいて画像印刷用の色変換を行うカラー変換部と、前記特定された印刷媒体に前記第１チャート画像を印刷し、且つ、前記カラー変換部で色変換された色情報に基づいて印刷ジョブの画像を印刷する印刷部と、を有することを特徴とする。
【発明の効果】
【０００７】
本発明の携帯端末及びそれを用いた画像形成システムによれば、ユーザが保有しているスマートフォン等の携帯端末に付いているカメラ機能を利用して、ベンダー（ｖｅｎｄｏｒ；画像形成装置の製造販売業者）が、予め携帯端末機種や撮影条件毎に撮影しておいた第１チャート画像としてのリファレンスチャート画像を自動的に取得し、ユーザの画像形成装置で印刷したカラーチャート画像を撮影した、第２チャート画像としてのユーザチャート画像と、そのリファレンスチャート画像と、の濃度差分に基づいて、キャリブレーションを実施できるようになる。これにより、ユーザは、手軽にキャリブレーションを行うことができる。
【図面の簡単な説明】
【０００８】
【図１】図１は、本発明の実施例１における携帯端末を備える画像形成システムの構成を示すブロック図である。
【図２】図２は、図１の表示画面１２ａにおけるユーザインタフェースの画面例１を示す図である。
【図３】図３は、図１の表示画面１２ａにおけるユーザインタフェースの画面例２を示す図である。
【図４】図４は、図１の表示画面１２ａの画面例３を示す図である。
【図５】図５は、図１の外部記憶装置３０への画像の関連付け登録例を示す図である。
【図６】図６は、実施例１の携帯端末１０側の動作を示すフローチャートである。
【図７】図７は、印刷装置２０の動作を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図１は、本発明の実施例１における携帯端末を備える画像形成システムの構成を示すブロック図である。
【００１１】
この画像形成システム１は、スマートフォン等の携帯端末１０と、ターゲット（対象）となる画像形成装置としての印刷装置２０と、外部記憶装置３０と、を備えている。
【００１２】
携帯端末１０は、基本動作を司るオペレーティングシステム（以下「ＯＳ」という。）１１と、このＯＳ１１に接続された操作表示部１２と、そのＯＳ１１に接続され、写真画像を撮影する撮影装置としてのカメラ１３と、を有している。操作表示部１２は、情報の入力を行う図示しない操作スイッチや、情報の表示を行う表示画面１２ａ等を有している。カメラ１３には、内部記憶装置１６が接続されている。
【００１３】
内部記憶装置１６は、読み出し専用メモリ（ＲＡＭ）や、フラッシュメモリに属するメモリカード（ＭｉｃｒｏＳＤ）等で構成され、カメラ１３で撮影された画像が格納される撮影画像格納部１６ａを有すると共に、キャリブレーション実行用の携帯端末プログラム１４がインストールされている。携帯端末プログラム１４には、ＯＳ１１が接続されると共に、情報の送受信を行う通信部１５が接続されている。
【００１４】
携帯端末プログラム１４は、端末特定部１４ａ、画像取得部１４ｂ、画像比較部１４ｃ、及び補正部１４ｄを有している。
【００１５】
端末特定部１４ａは、使用されている携帯端末自身、搭載されているカメラ１３、及びそのカメラ１３の撮影条件を特定するためのものである。端末特定部１４ａ及び操作表示部１２は、印刷装置２０、カメラ１３の撮影条件、及び、用紙等の印刷媒体の種類を選択して特定するための特定手段としての機能を有している。画像取得部１４ｂは、携帯端末１０のカメラ１３で撮影した画像が保存される撮影画像格納部１６ａや、外部記憶装置３０内に予め格納されている撮影画像格納部３１から、撮影画像を取得するものである。
【００１６】
画像比較部１４ｃは、撮影画像格納部１６ａから取得した第２チャート画像としてのユーザチャート画像（又は第２媒体画像としてのユーザ媒体画像）と、外部記憶装置３０内の撮影画像格納部３１から取得した第１チャート画像としてのリファレンスチャート画像（又は第１媒体画像としてのリファレンス媒体画像）と、を比較して、濃度値の第１差分（又は濃度値の第２差分）としての原色成分（例えば、シアン（Ｃ）、マゼンタ（Ｍ）、イエロー（Ｙ）及びブラック（Ｋ））毎の差分を抽出するものである。更に、補正部１４ｄは、画像比較部１４ｃの比較結果に基づき、印刷装置２０の濃度制御部２２ａで制御に使用する濃度補正値としての補正プログラムを生成するものである。
【００１７】
携帯端末１０の通信部１５には、ターゲットとなる印刷装置２０と外部記憶装置３０とが接続されている。
【００１８】
印刷装置２０は、通信部２１、印刷制御部２２、及び印刷部２３を有している。
【００１９】
通信部２１は、携帯端末１０の通信部１５から、携帯端末プログラム１４の補正部１４ｄによって生成された補正プログラムや印刷ジョブを受信すると共に、印刷制御部２２の情報を通信部１５へ送信するものである。
【００２０】
印刷制御部２２は、印刷ジョブを解析して印刷装置２０の動作を制御するものであり、濃度制御部２２ａ、カラー変換部２２ｂ、及びラスタライズ部２２ｃを有している。濃度制御部２２ａは、携帯端末プログラム１４の補正部１４ｄによって生成された補正プログラムを通じて印刷オブジェクトの各原色濃度を変換するものである。カラー変換部２２ｂは、濃度制御部２２ａによって変換された濃度を入力値として、出力装置用のＣＭＹＫ値に色変換するカラーマッチングエンジン部に相当するものである。更に、ラスタライズ部２２ｃは、カラー変換部２２ｂが変換したＣＭＹＫ値に基づいて印刷ジョブをラスタライズ（２値化）するものである。ラスタライズ部２２ｃには、印刷部２３が接続されている。
【００２１】
印刷部２３は、ラスタライズ部２２ｃがラスタライズした結果に基づき、印刷画像を生成して印刷処理を行うものである。
【００２２】
外部記憶装置３０は、インターネットやクラウドサーバ上等に設置され、印刷装置ベンダーが印刷装置２０のプロファイルを作成する際に使用した、リファレンス用印刷装置で印刷したカラーのリファレンスチャート画像を、各携帯端末１０の機種や撮影条件毎に撮影し、印刷装置名及び印刷媒体名称情報に関連付けて撮影画像格納部３１に格納しておくものである。撮影画像格納部３１には、更に、カラーのリファレンスチャート画像の印刷に使用する印刷媒体の画像を、リファレンスチャート画像の印刷前の白紙の状態で撮影したものが、印刷装置名及び印刷媒体名称情報に関連づけて格納されている。
【００２３】
（実施例１の動作）
本実施例１の画像形成システム１において、（Ｉ）比較例の動作、（ＩＩ）携帯端末側の動作、及び、（ＩＩＩ）印刷装置の動作、を説明する。
【００２４】
（Ｉ）  比較例の動作
従来のキャリブレーションは、各版データの濃度の正規化によってばらつきをなくすために、測色機を用いて、例えば、以下の（１）〜（４）のような手法を用いて行われる。
【００２５】
（１）  色料の三原則であるＣＭＹＫの各単色や、光の三原色であるレッド（Ｒ）、グリーン（Ｇ）、ブルー（Ｂ）等の、０％〜１００％までのキャリブレーション用カラーチャートをターゲットとなる印刷装置から印刷する。
【００２６】
（２）  キャリブレーション用カラーチャートの印刷結果を測色機で読み取る。
【００２７】
（３）  読み取った結果に基づいて、例えば、各ＣＭＹＫの単色の濃度がリニアな直線で線形変換されるよう、ＣＭＹＫ版毎に逆線形カーブを生成する。
例えば、単純化した例では、色成分の入力濃度値をｘ、出力濃度値をｙとし、シアン（Ｃ）の入力濃度値０％、５０％、１００％がそれぞれ５％、４０％、９５％と、測色機が濃度判断したと仮定する。
【００２８】
生成された線形変換式を逆変換する式とするために、予め、濃度を０−１の値で表現すると
（ｘ，ｙ）＝（０％，５％）、（５０％，４０％）、（１００％，９５％）
は
（Ｘ，Ｙ）＝（０，０．０５）、（０．５，０．４）、（１，０．９５）
となる。この３点を通る自然スプライン曲線を算出することで、線形変換式を算出でき、この線形変換式を用いてリニア変換させるための逆変換式を算出することができる。
【００２９】
（４）  出力時の色変換の前後いずれかで、前記（３）で算出した変換式をＣＭＹＫの各色成分に適用することで、ばらつき吸収したリニア変換の濃度値にする。
【００３０】
以上の（１）〜（４）の手順で、キャリブレーションを実行する。以降印刷時には、常に前記（４）のキャリブレーションがカラー変換時に適用される。しかしながら、このようなキャリブレーションを行うためには、印刷装置で印刷したキャリブレーションチャートの濃度を計測するために、専用の測色機が必要になるので、ユーザが手軽にキャリブレーションを行うことが困難である。そこで、本実施例１では、携帯端末１０を用いて、従来の課題を解決している。
【００３１】
（ＩＩ）  携帯端末側の動作
図２は、図１の表示画面１２ａにおけるユーザインタフェースの画面例１を示す図である。図３は、図１の表示画面１２ａにおけるユーザインタフェースの画面例２を示す図である。図４は、図１の表示画面１２ａの画面例３を示す図である。更に、図５は、図１の外部記憶装置３０への画像の関連付け登録例を示す図である。
【００３２】
図６は、実施例１の画像形成システム１における携帯端末プログラム１４の処理を含む携帯端末１０側の動作を示すフローチャートである。
【００３３】
携帯端末１０側では、ステップＳ１〜Ｓ１２の処理が行われる。以下、図１〜図５を参照しつつ、図６のステップＳ１〜Ｓ１２の処理を説明する。
【００３４】
ユーザが携帯端末プログラム１４を起動すると、動作が開始され、操作表示部１２の表示画面１２ａに、図２に示すような画面例１が表示される。図２の画面例１では、印刷装置の選択欄４１、撮影条件の選択欄４２、印刷媒体の選択欄４３、「キャンセル」（消去）ボタン４４、及び、「次へ」ボタン４５が表示されている。
【００３５】
ステップＳ１において、携帯端末プログラム１４の画像取得部１４ｂは、キャリブレーションのターゲットとなる印刷装置２０の選択を促す。携帯端末プログラム１４は、通信部１５を経由して、ネットワーク等に接続された印刷装置をディスカバリー（開示）して一覧表示する。ユーザは、携帯端末１０と接続された複数の印刷装置の中から、図２の印刷装置の選択欄４１を操作して、ターゲットとなる印刷装置２０を選択し、ステップＳ２へ進む。
【００３６】
ステップＳ２において、画像取得部１４ｂは、撮影条件の選択を促す。撮影条件は、例えば、撮影する写真のサイズ或いは画素数等、写真画像の品質を意味するものとしている。例えば、図２の撮影条件の選択欄４２を操作して、普通／高精細といった選択肢で選択し、ステップＳ３へ進む。
【００３７】
ステップＳ３において、画像取得部１４ｂは、印刷媒体の選択を促す。印刷媒体は、Ａ社のＸＸサイズ用紙連量ＹＹｋｇといった印刷に使用する用紙を特定する情報である。例えば、図２の印刷媒体の選択欄４３を操作して、媒体Ａ／媒体Ｂといった選択肢で選択し、ステップＳ４へ進む。
【００３８】
なお、本実施例１では、印刷媒体を選択する例としたが、予めキャリブレーション用の推奨印刷媒体を固定で決めてしまい、印刷装置２０に添付して販売する等することで、選択肢を表示させないようにしても良い。
【００３９】
ステップＳ４において、画像取得部１４ｂは、ＯＳ１１経由でカメラ１３を起動し、選択された印刷媒体の印刷前の白紙状態の用紙の撮影を促す。予めベンダー側で準備する画像と画像サイズが一致するように、用紙サイズに合わせてガイド線を表示し、そのガイド線に用紙の縁を合わせて撮影するように指定する。
【００４０】
即ち、図３の画面例２において、ガイド線５２が表示され、枠内に白紙状態の用紙の縁を合わせ、「撮影」ボタン５１をクリックして撮影し、撮影に問題がなければ、「次へ」ボタン５３をクリックする。「撮影」ボタン５１がクリックされた際、画像取得部１４ｂは、ステップＳ２で選択された品質の画素数或いはサイズの画質で撮影する。カメラ１３で撮影された画像は、内部記憶装置１６内の撮影画像格納部１６に、ユーザ媒体画像として格納され、ステップＳ５へ進む。
【００４１】
ステップＳ５において、画像取得部１４ｂは、ステップＳ１で選択された印刷装置２０に対して、ステップＳ３で指定された用紙サイズで、カラーチャート画像を印刷する。カラーチャート画像を印刷させるための印刷ジョブは、予め携帯端末プログラム１４が保有しており、ステップＳ３で指定された出力用紙サイズのコマンドを付与して、通信部１５経由で印刷装置２０に送信することで、カラーチャート画像を印刷させる。本実施例１において、カラーチャート画像は、ＣＭＹＫやＲＧＢの各版の０％〜１００％までの濃度１０％刻みの矩形で印刷させるといった、各原色成分の濃度判定を行うためのチャートとする。
【００４２】
ステップＳ６において、画像取得部１４ｂは、ステップＳ５で印刷されたカラーチャート画像の撮影を促す。例えば、画像取得部１４ｂは、表示画面１２ａに、図４の画面例３に示すようなチャート撮影のための画面を表示する。なお、図４の画面例３は、チャートを合わせた状態で、撮影前の画面の例である。そして、図４のような画面において、予めベンダー側で準備する画像と画像サイズが一致するように、用紙サイズに合わせてガイド線５２を表示し、そのガイド線５２に用紙の縁を合わせて撮影するように指定する。ガイド線５２が表示された枠内に、白紙状態の用紙の縁を合わせ、「撮影」ボタン５１をクリックして撮影し、撮影に問題がなければ「次へ」ボタン５３をクリックする。
【００４３】
「撮影」ボタン５１がクリックされた際、画像取得部１４ｂは、ステップＳ２で選択された品質の画素数或いはサイズの画質で撮影する。カメラ１３で撮影された画像は、内部記憶装置１６内の撮影画像格納部１６ａに、ユーザチャート画像として格納され、ステップＳ７へ進む。
【００４４】
ステップＳ７において、端末特定部１４ａは、ＯＳ１１から携帯端末１０のモデル名或いは型番号のような特定情報を取得して携帯端末１０を特定し、ステップＳ８へ進む。
【００４５】
ステップＳ８において、画像取得部１４ｂは、インターネット上のサーバ或いはクラウドサーバ上の外部記憶装置３０内の撮影画像格納部３１に、予め格納されているリファレンス媒体画像及びリファレンスチャート画像を取得する。
【００４６】
例えば、図５に示すように、印刷装置ベンダーは、予め、携帯端末種類（携帯端末の主要モデル）、用紙種類（推奨印刷媒体）、画素数の組み合わせで、リファレンス媒体画像及びリファレンスカラーチャート画像を撮影し、外部記憶装置３０内の撮影画像格納部３１にそれらの情報を関連付けて格納しておくものとする。
【００４７】
印刷装置ベンダーが予め準備するリファレンス媒体画像、リファレンスカラーチャート画像の作成手順は、ユーザが実施するステップＳ１〜Ｓ６の手順で作成することで、単純な比較が可能な同一サイズの画像を作成する。
【００４８】
ステップＳ９において、画像比較部１４ｃは、取得したリファレンス媒体画像と、ユーザが撮影したユーザ媒体画像と、の濃度を比較する。濃度差は、単純に実行するのであれば、リファレンス媒体画像の全ピクセル内の濃度の総和を、ピクセル数で割ることで、リファレンス媒体画像の平均濃度を算出し、同様に、ユーザ媒体画像の全ピクセル内の濃度の総和を、ピクセル数で割ることで、ユーザ媒体画像の平均濃度を算出し、平均差分を求めても良い。或いは、カラーチャート画面上の各濃度が配置されるであろう、矩形位置上の平均濃度差を抽出しても良い。その濃度差が、ベンダーの撮影とユーザの撮影時の環境光の差等の要因による差分と考えることができる。
【００４９】
続いて、画像比較部１４ｃは、ユーザが撮影したユーザ媒体画像から、前記算出した濃度差を考慮したユーザチャート画像に濃度変換することで、環境差の是正を試みる。単純な例では、ユーザチャート画像から濃度差分の濃度を差し引くことで、環境差を除去することができる。各濃度セル位置の平均差を抽出した場合、それぞれの対応する濃度セル内の画像から平均濃度差を差し引く。
【００５０】
ステップＳ１０において、画像比較部１４ｃは、取得したリファレンスチャート画像と、前記で環境差分を除去したユーザチャート画像と、を比較して、各原色濃度の差分を抽出する。濃度差分の取得は、単純に両者の差を抽出しても良いし、或いは、各原色濃度の矩形の平均を算出しておき、平均濃度の差分を抽出しても良い。
【００５１】
ステップＳ１１において、補正部１４ｄは、前記抽出したリファレンスチャート画像と、環境差を考慮した後のユーザチャート画像と、の差分データに基づき、差分を補正するための、印刷装置２０の濃度制御部２２ａが解釈する濃度制御用の補正プログラムを生成し、ステップＳ１２へ進む。
【００５２】
ステップＳ１２において、補正部１４ｄは、前記生成した補正プログラムを、印刷装置２０内の図示しない記憶装置に登録し、処理を終了する。
以上が、携帯端末プログラム１４の補正プログラム登録までの手順である。
【００５３】
（ＩＩＩ）  印刷装置の動作
図７は、補正プログラムが登録された以降の印刷装置２０の動作を示すフローチャートである。
印刷装置２０では、ステップＳ２１〜Ｓ２８の処理が行われる。
【００５４】
印刷装置２０の動作が開始すると、ステップＳ２１へ進む。ステップＳ２１において、印刷装置２０の通信部２１は、携帯端末１０の通信部１５から印刷ジョブを受信し、印刷制御部２２に渡し、ステップＳ２２へ進む。
【００５５】
ステップＳ２２において、印刷制御部２２は、印刷ジョブ中の各描画コマンドを解析し、濃度制御部２２ａを呼び出し、ステップＳ２３へ進む。
【００５６】
ステップＳ２３において、濃度制御部２２ａは、各カラー成分の描画コマンドの色の成分量を入力値とし、登録された補正プログラムで補正した値を出力として、濃度補正を実行し、ステップＳ２４へ進む。
【００５７】
ステップＳ２４において、印刷制御部２２は、カラー変換部２２ｂを呼び出し、濃度補正後の各成分量を、印刷装置２０のＣＭＹＫの成分量にカラーマッチングし、最終的な印刷装置２０がそのオブジェクトの印刷に使用する成分量を決定し、ラスタライズし、ステップＳ２６へ進む。
【００５８】
ステップＳ２６において、印刷制御部２２は、印刷ジョブの終了まで（ＮＯ）、コマンド解析、濃度変換、カラーマッチング、及びラスタライズを繰り返す（ＹＥＳ）。
【００５９】
ステップＳ２７において、ページ描画を完了すると、ステップＳ２８において、印刷部２３が印刷を行い、処理を終了する。
【００６０】
なお、図７のフローチャートでは、ステップＳ２３で濃度変換した後に、ステップＳ２４でカラーマッチングを行う例を示したが、この順番は逆でも良い。
【００６１】
（実施例１の効果）
本実施例１によれば、ユーザは、専用の光学式測色機を保有していなくても、携帯端末１０上にインストールされた携帯端末プログラム１４を用いて、その携帯端末１のカメラ１３で印刷媒体とカラーチャート画像を撮影することにより、ベンダーがカラープロファイルを作成して外部記憶装置３０に格納した印刷濃度に、キャリブレーション補正を施して印刷することができるようになる。これにより、各印刷装置間のばらつきを低減し、期待する濃度での印刷が可能になる。
【００６２】
（実施例１の他の変形例）
本発明は、上記実施例１に限定されず、種々の利用形態や変形が可能である。この利用形態や変形例としては、例えば、次の（ａ）、（ｂ）のようなものがある。
【００６３】
（ａ）  画像形成システム１は、図１以外の他の構成に変形して良い。例えば、外部記憶装置３０は、カメラ特定情報を持ち、携帯端末１０は、始めに、外部記憶装置３０から前記カメラ特定情報をダウンロードしておき、起動時に、前記カメラ特定情報に基づき、撮影条件及び印刷媒体の種類を自動的に選択して特定する構成に変形しても良い。これにより、図６において、ステップＳ２の撮影条件の選択と、ステップＳ３の印刷媒体名の選択と、が自動的に行え、使い勝手が向上する。
【００６４】
（ｂ）  実施例１では、画像形成装置として印刷装置２０に適用した例を説明したが、ソフトウェアＲＩＰ（Ｒａｓｔｅｒ  ｉｍａｇｅ  Ｐｒｏｃｅｓｓｏｒ；ビットマップ画像用プロセッサ）を搭載した他の画像形成装置にも適用が可能である。
【符号の説明】
【００６５】
１      画像形成システム
１０      携帯端末
１１      ＯＳ
１２      操作表示部
１３      カメラ
１４      携帯端末プログラム
１４ａ      端末特定部
１４ｂ      画像取得部
１４ｃ      画像比較部
１４ｄ      補正部
１５，２１      通信部
１６      内部記憶装置
１６ａ，３１      撮影画像格納部
２０      印刷装置
２２      印刷制御部
２２ａ      濃度制御部
２２ｂ      カラー変換部
２２ｃ      ラスタライズ部
２３      印刷部
３０      外部記憶装置
【図１】
0006608760.tif 000002
【図２】
0006608760.tif 000003
【図３】
0006608760.tif 000004
【図４】
0006608760.tif 000005
【図５】
0006608760.tif 000006
【図６】
0006608760.tif 000007
【図７】
0006608760.tif 000008